(57)【要約】【課題】端子台を別途設けることなく、各部屋での電話の使用と例えばパソコンなどを利用したインターネット接続とを可能にし、限られた情報盤内のスペースを有効利用する。【解決手段】複数の端子部１１と、これらを収納する器体１０とを備え、端子部１１として、加入者線のケーブルＬ１０が接続される端子部１１０を含み、モジュラジャック２０と接続されたケーブルＬ１１が接続される端子部１１１を複数含み、これら端子部１１１が器体１０内部で互いに電気的に接続される端子台１に対して、開閉部１２と、端子部１１２とを設けた。開閉部１２は、端子部１１０に対して、複数の端子部１１１を電気的に接続または遮断する。端子部１１２には、モジュラコンセント２０と接続されるケーブルＬ１１が接続される。【選択図】  図１
2004229361.tif 000002
【特許請求の範囲】
【請求項１】
各部屋の壁に埋設されたモジュラコンセントと、
複数の端子部、および、正面矩形状の角状に形成され、前記複数の端子部をこれらの各一部が正面位置で外部に露出するように収納し、情報盤内に取り付けられる器体を備え、前記端子部として、前記器体の正面位置で露出する一部が加入者線のケーブルを外部から接続するための接続部分となる第１端子部を含むとともに、前記器体の正面位置で露出する一部が前記モジュラコンセントと接続されたケーブルを外部から接続するための接続部分となる第２端子部を複数含み、これら複数の第２端子部が前記器体内部で互いに電気的に接続される端子台と
により構成される情報配線システムであって、
前記端子台が、前記第１端子部に対して、前記複数の第２端子部を電気的に接続または遮断するための開閉部を備えるとともに、前記端子部として、前記器体の正面位置で露出する一部が前記モジュラコンセントと接続されるケーブルを外部から接続するための接続部分となり、前記器体内部で前記第１端子部に対して電気的に接続される第３端子部を備える
ことを特徴とする情報配線システム。
【請求項２】
前記開閉部は、前記第１端子部に対して、前記複数の第２端子部または前記第３端子部のいずれか一方を切替接続するための切替スイッチであり、前記器体は、前記切替スイッチをこの操作部が正面位置で外部に露出するように収納することを特徴とする請求項１記載の情報配線システム。
【請求項３】
前記端子台は、操作部に対する入切操作に応じて、前記複数の第２端子部のうち対応する第２端子部と前記開閉部との間を電気的に接続または遮断する入切スイッチを複数さらに備え、前記器体は、前記複数の入切スイッチをこれらの各操作部が正面位置で外部に露出するように収納し、前記第３端子部は、送り配線で各部屋の壁に埋設されたモジュラコンセントと接続されることを特徴とする請求項１または２記載の情報配線システム。
【請求項４】
前記端子台は、前記器体内部に収納される複数の基板ブロックをさらに備え、前記基板ブロックとして、前記第１端子部、開閉部および第３端子部を少なくとも搭載する第１基板ブロックを含むとともに、前記第２端子部を少なくとも一つ搭載する第２基板ブロックを含み、
前記第１基板ブロックは、前記第２基板ブロックと互いに電気的および機械的に連結分離自在に構成されている一方、前記第２基板ブロックは、前記第１基板ブロックまたは他の第２基板ブロックと、これとは別の第２基板ブロックと互いに電気的および機械的に連結分離自在に構成されている
ことを特徴とする請求項１から３のいずれかに記載の情報配線システム。
【請求項５】
請求項１から４のいずれかに記載の情報配線システムを構成する端子台。
【発明の詳細な説明】
【０００１】
【発明の属する技術分野】
本発明は、情報盤内に取り付けられる端子台およびこれを含む情報配線システムに関するものである。
【０００２】
【従来の技術】
近年、ＣＡＴＶやＡＤＳＬなど様々なインターネット接続サービスが普及してきており、このような新たなインターネット接続サービスの導入を容易にするべく、宅内の各所に先行配線された配線を利用することによってインターネットに接続できるようにしたマルチメディア配線システムが提案されている（特許文献１など）。
【０００３】
図１３は従来の情報配線システムの例を示す図、図１４は同情報配線システムで使用される端子台の正面図、図１５は同端子台の回路図である。
【０００４】
図１３に示す情報配線システムは、各部屋の壁に埋設され２つのモジュラジャック２０が取着された情報用（図では電話用）コンセントとしての配線器具２Ａと、端子台１ＰＡとにより構成されている。なお、図１３において、３はスプリッタ、４はＡＤＳＬモデム、５はパソコンである。
【０００５】
端子台１ＰＡは、図１３〜図１５に示すように、複数の端子部１１と、開閉部１２と、正面矩形状の角状に形成され、複数の端子部１１をこれらの各一部が正面位置で外部に露出するように収納し、情報盤（図示せず）内に取り付けられる器体１０ＰＡとを備えている。
【０００６】
端子部１１として、器体１０ＰＡの正面位置で露出する一部が加入者線のケーブルＬ１０を外部から接続するための接続部分となる端子部１１０が含まれているとともに、器体１０ＰＡの正面位置で露出する一部が配線器具２Ａのモジュラジャック２０と接続されたケーブルＬ１１を外部から接続するための接続部分となる端子部１１１が複数含まれている。
【０００７】
開閉部１２は、端子部１１０に対して、複数の端子部１１１を電気的に接続または遮断するためのものであり、モジュラジャック１２０，１２１と、モジュラコード１２２とにより構成されている。
【０００８】
このような構成の端子台１ＰＡを使用することにより、各種情報配線システムを構築することができる。例えば、加入者線によるアナログ回線をアナログ電話のみに利用する場合、情報盤内に端子台１ＰＡを１台取り付け、加入者線のケーブルＬ１０を端子部１１０に接続し、各部屋の壁に埋設された配線器具２Ａにおける一方のモジュラジャック２０に先行配線されたケーブルＬ１１を各端子部１１１に接続する。そして、開閉部１２において、モジュラコード１２２を使用してモジュラジャック１２０，１２１間を電気的に接続すれば、各部屋で電話の使用が可能になる。
【０００９】
これに対して、加入者線によるアナログ回線をアナログ電話およびＡＤＳＬに利用する場合、図１３の例に示すように、情報盤内に端子台１ＰＡを２台取り付ける。そして、一方（図では左方）の端子台１ＰＡにおいて、ケーブルＬ１０を端子部１１０に接続し、各部屋の壁に埋設された配線器具２Ａにおける一方（図では上方）のモジュラジャック２０に先行配線されたケーブルＬ１１を各端子部１１１に接続する。また、開閉部１２でモジュラジャック１２０，１２１間を電気的に接続する。
【００１０】
他方（図では右方）の端子台１ＰＡにおいて、各部屋の壁に埋設された配線器具２Ａにおけるもう一方（図では下方）のモジュラジャック２０に先行配線されたケーブルＬ１１を各端子部１１１に接続する。
【００１１】
そして、ＡＤＳＬ用の機器を設置する部屋において、一方の端子台１ＰＡに接続されたモジュラジャック２０にスプリッタ３のＬＩＮＥ端子を接続し、他方の端子台１ＰＡに接続されたモジュラジャック２０にスプリッタ３のＴＥＬ端子を接続すれば、各部屋で電話を使用することが可能になるとともに、ＡＤＳＬ用の機器を設置する部屋で例えばパソコンなどを利用したインターネット接続が可能になる。
【００１２】
【特許文献１】
特開２００２−３１４５７４号公報
【００１３】
【発明が解決しようとする課題】
しかしながら、上記端子台では、各部屋で電話を使用することができ、特定の部屋でインターネット接続ができるようにするためには、端子台を２つ用意しなければならず、限られた情報盤内のスペースを狭めてしまうという課題がある。
【００１４】
本発明は、上記事情に鑑みてなされたものであり、端子台を別途設けることなく、各部屋で電話を使用することが可能になるとともに、特定の部屋で例えばパソコンなどを利用したインターネット接続が可能になり、限られた情報盤内のスペースを有効利用することができる情報配線システムおよび端子台を提供することを目的とする。
【００１５】
【課題を解決するための手段】
上記課題を解決するための請求項１記載の発明は、各部屋の壁に埋設されたモジュラコンセントと、複数の端子部、および、正面矩形状の角状に形成され、前記複数の端子部をこれらの各一部が正面位置で外部に露出するように収納し、情報盤内に取り付けられる器体を備え、前記端子部として、前記器体の正面位置で露出する一部が加入者線のケーブルを外部から接続するための接続部分となる第１端子部を含むとともに、前記器体の正面位置で露出する一部が前記モジュラコンセントと接続されたケーブルを外部から接続するための接続部分となる第２端子部を複数含み、これら複数の第２端子部が前記器体内部で互いに電気的に接続される端子台とにより構成される情報配線システムであって、前記端子台が、前記第１端子部に対して、前記複数の第２端子部を電気的に接続または遮断するための開閉部を備えるとともに、前記端子部として、前記器体の正面位置で露出する一部が前記モジュラコンセントと接続されるケーブルを外部から接続するための接続部分となり、前記器体内部で前記第１端子部に対して電気的に接続される第３端子部を備えることを特徴とする。
【００１６】
請求項２記載の発明は、請求項１記載の情報配線システムにおいて、前記開閉部は、前記第１端子部に対して、前記複数の第２端子部または前記第３端子部のいずれか一方を切替接続するための切替スイッチであり、前記器体は、前記切替スイッチをこの操作部が正面位置で外部に露出するように収納することを特徴とする。
【００１７】
請求項３記載の発明は、請求項１または２記載の情報配線システムにおいて、前記端子台は、操作部に対する入切操作に応じて、前記複数の第２端子部のうち対応する第２端子部と前記開閉部との間を電気的に接続または遮断する入切スイッチを複数さらに備え、前記器体は、前記複数の入切スイッチをこれらの各操作部が正面位置で外部に露出するように収納し、前記第３端子部は、送り配線で各部屋の壁に埋設されたモジュラコンセントと接続されることを特徴とする。
【００１８】
請求項４記載の発明は、請求項１から３のいずれかに記載の情報配線システムにおいて、前記端子台は、前記器体内部に収納される複数の基板ブロックをさらに備え、前記基板ブロックとして、前記第１端子部、開閉部および第３端子部を少なくとも搭載する第１基板ブロックを含むとともに、前記第２端子部を少なくとも一つ搭載する第２基板ブロックを含み、前記第１基板ブロックは、前記第２基板ブロックと互いに電気的および機械的に連結分離自在に構成されている一方、前記第２基板ブロックは、前記第１基板ブロックまたは他の第２基板ブロックと、これとは別の第２基板ブロックと互いに電気的および機械的に連結分離自在に構成されていることを特徴とする。
【００１９】
請求項５記載の発明は、請求項１から４のいずれかに記載の情報配線システムを構成する端子台である。
【００２０】
【発明の実施の形態】
（第１実施形態）
図１は情報配線システムの各構築例のうち一の構築例を示す図、図２は同情報配線システムで使用される端子台の正面図、図３は同端子台の回路図であり、これらの図を参照しながら本発明の第１実施形態について説明する。
【００２１】
第１実施形態の情報配線システムは、図１の例に示すように、各部屋の壁に埋設され電話用で少なくとも２芯のモジュラジャック２０が取着された情報用（図では電話用）コンセントとしての配線器具２（２Ａ）と、端子台１とにより構成されている。ただし、少なくとも回線終端装置（図１の例ではスプリッタ３）を設置する（予定の）部屋、例えば書斎やリビングなどの壁には、モジュラジャック２０が２つ取着された配線器具２Ａが埋設される。
【００２２】
端子台１は、図１，図２に示すように、例えば基板実装型で解除機能付き速結端子式の２線用の端子部１１を複数備えているとともに、開閉部１２と、正面矩形状の角状に形成され、複数の端子部１１をこれらの各一部が正面位置で外部に露出するように収納し、情報盤（図示せず）内に取り付けられる器体１０とを備えている。
【００２３】
端子部１１として、器体１０の正面位置で露出する一部が２線式の加入者線のケーブルＬ１０を、Ｌ１，Ｌ２の極性別に外部から接続するための接続部分となる端子部１１０（加入者線用端子部）と、器体１０の正面位置で露出する一部がモジュラジャック２０と接続された例えば２線式のケーブルＬ１２を、Ｌ１，Ｌ２の極性別に外部から接続するための接続部分となり、器体１０内部で端子部１１０に対してＬ１，Ｌ２の極性別に電気的に接続される端子部１１２（第１実施形態では送り端子部）とが含まれているとともに、器体１０の正面位置で露出する一部がモジュラジャック２０と接続された例えば２線式のケーブルＬ１１を外部から接続するための接続部分となる端子部１１１（第１実施形態では電話用端子部）が複数（図では８つ）含まれている。
【００２４】
開閉部１２は、端子部１１０に対して、複数の端子部１１１をＬ１，Ｌ２の極性別に電気的に接続または遮断するためのものであり、例えば基板実装型の電話用で少なくとも２芯のモジュラジャック１２０，１２１と、モジュラコード１２２とにより構成されている。このモジュラコード１２２は、モジュラジャック１２０，１２１に対応する少なくとも２芯のモジュラプラグ１２２ａ，１２２ｂおよびこれらの間をＬ１，Ｌ２の極性別に電気的に接続する例えば２線式のケーブル１２２ｃにより構成されている。
【００２５】
上記複数の端子部１１およびモジュラジャック１２０，１２１は、器体１０内部に収容される矩形状の実装基板（図示せず）に実装され、図３に示すように、複数の端子部１１１が、Ｌ１，Ｌ２の極性別に、互いに電気的に接続されてモジュラジャック１２１と電気的に接続されている一方、端子部１１０が、Ｌ１，Ｌ２の極性別に、端子部１１２およびモジュラジャック１２０と電気的に接続されている。
【００２６】
器体１０は、図２に示すように、前方に矩形状の開口を有する箱状に形成されたボディ１００と、このボディ１００の開口を閉塞する矩形状のカバー１０１とにより構成されている。
【００２７】
ボディ１００は、カバー１０１よりも上下（縦）方向に長い所定の統一寸法に高さ寸法が設定されるとともに、左右（横）方向の幅寸法が所定の単位寸法の１倍に設定されている。ボディ１００の上下方向の両突出部には、それぞれ取付孔１００ａ，１００ｂが形成されている。図２の例では、取付孔１００ａは、だるま状に形成され、情報盤内の所定位置に仮螺着されたねじの頭部を下方の広い孔に通し、上方の狭い孔にその足部が填るようにすることで、情報盤内への器体１０の取付けが容易となる構造になっている。
【００２８】
一方、正面となるカバー１０１には、複数の端子部１１の接続部分となる各一部をそれぞれ外部に露出するための複数の窓孔が穿設されているとともに、開閉部１２のモジュラジャック１２０，１２１の接続部分となる各一部をそれぞれ外部に露出するための複数の窓孔が穿設されている。また、カバー１０１の正面上端側には、各先端内向きのＬ字状に形成された一対のフック１０１ａによりなり、複数の端子部１１１の接続部分へのケーブルを結束するための結束部が設けられている。
【００２９】
このような構成の端子台１を使用することにより、端子台を別途設けることなく、各部屋で電話を使用することが可能になるとともに、特定の部屋で例えばパソコンなどを利用したインターネット接続が可能となる情報配線システムを構築することができる。
【００３０】
例えば、加入者線によるアナログ回線をアナログ電話のみに利用する場合、加入者線のケーブル（図１のＬ１０を参照）を端子部１１０に接続し、各部屋の壁に埋設された配線器具（２）におけるモジュラジャック（２０）に先行配線されたケーブル（Ｌ１１）を各端子部１１１に接続する。そして、開閉部１２において、モジュラコード１２２を使用してモジュラジャック１２０，１２１間を電気的に接続することにより、端子部１１０に対して複数の端子部１１１を電気的に接続する。
【００３１】
これにより、各部屋のモジュラジャック（２０）が、ケーブル（Ｌ１１）、端子部１１１、実装基板、モジュラジャック１２１、モジュラコード１２２、モジュラジャック１２０、実装基板を介して、端子部１１０に接続されることになるから、各部屋で電話の使用が可能になる。
【００３２】
一方、加入者線によるアナログ回線をアナログ電話およびＡＤＳＬに利用する場合、図１の例に示すように、加入者線のケーブルＬ１０を端子部１１０に接続し、各部屋の壁に埋設された配線器具２におけるモジュラジャック２０に先行配線されたケーブルＬ１１を各端子部１１１に接続する。また、スプリッタ３などのＡＤＳＬ用の機器を設置する部屋に埋設された配線器具２（２Ａ）におけるもう一方のモジュラジャック２０に先行配線されたケーブルＬ１２を端子部１１２に接続する。そして、開閉部１２においてモジュラコード１２２を使用せずに、端子部１１０に対して複数の端子部１１１を電気的に遮断する。
【００３３】
スプリッタ３などのＡＤＳＬ用の機器を設置する部屋において、ケーブルＬ１１を介して端子部１１１に接続されたモジュラジャック２０に、モジュラコード１２２と同様でケーブルの長いモジュラコードを介してスプリッタ３のＴＥＬ端子を接続し、ケーブルＬ１２を介して端子部１１２に接続されたモジュラジャック２０に、モジュラコードを介してスプリッタ３のＬＩＮＥ端子を接続する。
【００３４】
これにより、スプリッタ３のＬＩＮＥ端子に接続されたモジュラジャック２０が、ケーブルＬ１２、端子部１１２、実装基板を介して、端子部１１０に接続されるとともに、その他の各部屋のモジュラジャック２０が、ケーブルＬ１１、端子部１１１、実装基板、スプリッタ３側への端子部１１１、ケーブルＬ１１、モジュラジャック２０、モジュラコードを介して、スプリッタ３のＴＥＬ端子に接続される。この結果、各部屋で電話を使用することが可能になるとともに、ＡＤＳＬ用の機器を設置する部屋で例えばパソコンなどを利用したインターネット接続が可能になる。なお、図２において、４は、スプリッタ３のモデム端子とスプリッタ端子が接続されるＡＤＳＬモデムであり、５は、ＡＤＳＬモデム４のパソコン端子と接続されるパソコンであり、６は、部屋のモジュラジャック２０と接続される電話機である。
【００３５】
以上のような利用形態は、アナログ回線に限らず、ＩＳＤＮなどのデジタル回線でも同様である。
【００３６】
（第２実施形態）
図４は情報配線システムの各構築例のうち一の構築例を示す図、図５は同情報配線システムで使用される端子台の正面図、図６は同端子台の回路図であり、これらの図を参照しながら本発明の第２実施形態について説明する。
【００３７】
第２実施形態の情報配線システムは、図４の例に示すように、各部屋の壁に埋設されモジュラジャック２０が取着された配線器具２（２Ａ）と、端子台１Ａとにより構成されている。ただし、少なくとも回線終端装置（図４の例ではスプリッタ３）を設置する（予定の）部屋の壁には、モジュラジャック２０が２つ取着された配線器具２Ａが埋設される。
【００３８】
端子台１Ａは、図４，図５に示すように、複数の端子部１１を第１実施形態の端子台１と同様に備えているほか、端子台１との相違点として、開閉部１２Ａと、器体１０Ａとを備えている。
【００３９】
開閉部１２Ａは、図６に示すように、端子部１１０に対して、複数の端子部１１１または端子部１１２のいずれか一方を、Ｌ１，Ｌ２の極性別に切替接続するための切替スイッチであり、器体１０Ａに収納される実装基板に実装される。なお、図５中の１２０Ａは、開閉部１２Ａ（切替スイッチ）の操作部である。
【００４０】
器体１０Ａは、図４，図５に示すように、ボディ１００と、カバー１０１Ａとにより構成されている。カバー１０１Ａは、第１実施形態のカバー１０１との相違点として、開閉部１２用の窓孔に代えて、開閉部１２Ａの操作部１２０Ａを左右方向に切替自在に正面位置で外部に露出するための窓孔が穿設されている。
【００４１】
このような構成の端子台１Ａを使用することにより、端子台を別途設けることなく、各部屋で電話を使用することが可能になるとともに、特定の部屋で例えばパソコンなどを利用したインターネット接続が可能となる情報配線システムを構築することができる。
【００４２】
例えば、加入者線によるアナログ回線をアナログ電話のみに利用する場合、加入者線のケーブル（図４のＬ１０を参照）を端子部１１０に接続し、各部屋の壁に埋設された配線器具（２）におけるモジュラジャック（２０）に先行配線されたケーブル（Ｌ１１）を各端子部１１１に接続する。そして開閉部１２Ａで端子部１１０に対して複数の端子部１１１を切替接続する。
【００４３】
これにより、各部屋のモジュラジャック（２０）が、ケーブル（Ｌ１１）、端子部１１１、実装基板、開閉部１２Ａ、実装基板を介して、端子部１１０に接続されることになるから、各部屋で電話の使用が可能になる。
【００４４】
一方、加入者線によるアナログ回線をアナログ電話およびＡＤＳＬに利用する場合、図４の例に示すように、加入者線のケーブルＬ１０を端子部１１０に接続し、各部屋の壁に埋設された配線器具２におけるモジュラジャック２０に先行配線されたケーブルＬ１１を各端子部１１１に接続する。また、スプリッタ３などのＡＤＳＬ用の機器を設置する部屋に埋設された配線器具２（２Ａ）におけるもう一方のモジュラジャック２０に先行配線されたケーブルＬ１２を端子部１１２に接続する。そして開閉部１２Ａで端子部１１０に対して端子部１１２を切替接続する。
【００４５】
スプリッタ３などのＡＤＳＬ用の機器を設置する部屋において、ケーブルＬ１１を介して端子部１１１に接続されたモジュラコンセント２０に、モジュラコードを介してスプリッタ３のＴＥＬ端子を接続し、ケーブルＬ１２を介して端子部１１２に接続されたモジュラコンセント２０に、モジュラコードを介してスプリッタ３のＬＩＮＥ端子を接続する。
【００４６】
これにより、スプリッタ３のＬＩＮＥ端子に接続されたモジュラジャック２０が、ケーブルＬ１２、端子部１１２、実装基板、開閉部１２Ａ、実装基板を介して、端子部１１０に接続されるとともに、その他の各部屋のモジュラジャック２０が、ケーブルＬ１１、端子部１１１、実装基板、スプリッタ３側への端子部１１１、ケーブルＬ１１、モジュラジャック２０、モジュラコードを介して、スプリッタ３のＴＥＬ端子に接続される。この結果、各部屋で電話を使用することが可能になるとともに、ＡＤＳＬ用の機器を設置する部屋で例えばパソコンなどを利用したインターネット接続が可能になる。
【００４７】
以上のような利用形態は、アナログ回線に限らず、ＩＳＤＮなどのデジタル回線でも同様である。
【００４８】
（第３実施形態）
図７は情報配線システムの各構築例のうち一の構築例を示す図、図８は同情報配線システムで使用される端子台の正面図、図９は同端子台の回路図であり、これらの図を参照しながら本発明の第３実施形態について説明する。
【００４９】
第３実施形態の情報配線システムは、図７の例に示すように、各部屋の壁に埋設されモジュラジャック２０が２つ取着された配線器具２Ａと、端子台１Ｂとにより構成されている。
【００５０】
端子台１Ｂは、図７，図８に示すように、複数の端子部１１と、開閉部１２Ａとを第２実施形態の端子台１Ａと同様に備えているほか、端子台１Ａとの相違点として、複数（８つ）の入切スイッチ１３と、器体１０Ｂとを備えている。ただし、第３実施形態では、端子部１１１はＡＤＳＬ用の機器用として、端子部１１２は電話用としても使用される。
【００５１】
入切スイッチ１３は、図９に示すように、自己の操作部１３０に対する入切操作に応じて、複数の端子部１１１のうち対応する端子部１１１と開閉部１２Ａとの間を、Ｌ１，Ｌ２の極性別に電気的に接続または遮断するものであり、器体１０Ｂに収納される実装基板に実装される。図の例では、入切スイッチ１３の左方にある端子部１１１が対応するものとなっている。
【００５２】
器体１０Ｂは、ボディ１００と、カバー１０１Ｂとにより構成されている。カバー１０１Ｂは、第２実施形態のカバー１０１Ａとの相違点として、各入切スイッチ１３の操作部１３０を左右方向に切替自在に正面位置で外部に露出するための窓孔がさらに穿設されている。また、カバー１０１Ｂにおいて、端子部１１０を除く各端子部１１の配置位置が異なっている。
【００５３】
このような構成の端子台１Ｂを使用することにより、第２実施形態で説明した各構築例のほか、図７の例に示すような情報配線システムを構築することができる。
【００５４】
図７に示すように、加入者線のケーブルＬ１０を端子部１１０に接続し、各部屋の壁に埋設された配線器具２Ａにおけるモジュラジャック２０に先行配線されたケーブルＬ１１を各端子部１１１に接続し、各部屋の壁に埋設された配線器具２Ａにおけるもう一方のモジュラジャック２０に送り配線で接続されたケーブルＬ１２を端子部１１２に接続する。また、スプリッタ３などのＡＤＳＬ用の機器を設置する部屋において、端子部１１１に接続されたモジュラジャック２０にスプリッタ３のＬＩＮＥ端子を接続し、端子部１１２に接続されたモジュラジャック２０にスプリッタ３のＴＥＬ端子を接続する。
【００５５】
そして、開閉部１２Ａで端子部１１０に対して複数の端子部１１１を切替接続するとともに、複数の端子部１１１のうち、スプリッタ３と接続された一の端子部１１１に対応する入切スイッチ１３を入状態にし、他の端子部１１１に対応する各入切スイッチ１３を切状態にする。
【００５６】
これにより、他の端子部１１１側のモジュラコンセント２０に誤って電話機が接続されたとしても、上記他の端子部１１１が上記一の端子部１１１と電気的に切り離されているので、スプリッタ３側の通信ができなくなることを防止することができる。
【００５７】
（第４実施形態）
図１０は端子台の各構成部品を示す斜視図であり、この図を参照しながら本発明の第４実施形態について説明する。
【００５８】
第４実施形態の端子台は、図１０に示すように、複数の端子部１１と、開閉部１２Ａとを第２実施形態の端子台１Ａとほぼ同様に備えているほか、端子台１Ａとの相違点として、複数の基板ブロック１４と、器体１０Ｃとを備えている。
【００５９】
基板ブロック１４として、端子部１１０，１１２、開閉部１２Ａおよびオス型のコネクタＣＮ１が搭載された基板ブロック１４０が含まれているとともに、端子部１１１、オス型のコネクタＣＮ１およびメス型のコネクタＣＮ２が搭載された基板ブロック１４１が少なくとも一つ（図では４つ）含まれている。コネクタＣＮ１，ＣＮ２には、少なくとも２端子のものが使用される。
【００６０】
また、基板ブロック１４０には、図１０（ｂ）に示すように、２線用の端子部１１０を、Ｌ１，Ｌ２の極性別に開閉部１２Ａを介して、コネクタＣＮ１または端子部１１２に切替接続するための導体パターンが形成されている。一方、基板ブロック１４１には、図１０（ｃ）に示すように、２線用の端子部１１１を、Ｌ１，Ｌ２の極性別にコネクタＣＮ１，ＣＮ２に接続するための導体パターンが形成されている。
【００６１】
上記のように導体パターンを形成してコネクタを搭載したことにより、基板ブロック１４０は、基板ブロック１４１と互いに電気的および機械的に連結分離自在となる。一方、基板ブロック１４１は、基板ブロック１４０または他の基板ブロック１４１と、これとは別の基板ブロック１４１と互いに電気的および機械的に連結分離自在となる。
【００６２】
器体１０Ｃは、ボディ１００Ａと、カバー１０１Ｃとにより構成され、カバー１０１Ｃが、ボディ１００Ａの開口端に嵌合することで固定されるようになっている。
【００６３】
ボディ１００Ａは、第２実施形態のボディ１００との相違点として、各基板ブロック１４を支持するための凸部１００ｄが内部底面に複数形成されている。各凸部１００ｄ間の縦方向の寸法Ｈ２は、基板ブロック１４１の縦方向の寸法Ｈ１よりも短くなっている。また、ボディ１００Ａの上方の突出部には、各先端内向きのＬ字状に形成された一対のフック１００ｃによりなり、複数の端子部１１１の接続部分へのケーブルを結束するための結束部が設けられている。
【００６４】
カバー１０１Ｃは、第２実施形態のカバー１０１Ａとの相違点として、複数の端子部１１用の窓孔１０１ｂのうち、少なくとも上部側の端子部１１１用の窓孔１０１ｂが必要に応じて開口できるようにノックアウト式になっている。また、端子部１１０を除く各端子部１１の配置位置が異なっている。なお、図１０において、１００ｅは孔であり、１０１ｅは孔１００ｅに填り込む突起である。
【００６５】
このように、複数の基板ブロック１４に分割してそれぞれを電気的および機械的に連結分離自在とすることにより、端子部１１１の数を変えた商品展開が容易となる。また、必要な分岐数のみ具現化でき、部品の無駄を省くことができる。
【００６６】
（第５実施形態）
図１１は情報配線システムの各構築例のうち一の構築例を示す図、図１２は同情報配線システムで使用される端子台の回路図であり、これらの図を参照しながら本発明の第５実施形態について説明する。
【００６７】
第５実施形態の情報配線システムは、図１１の例に示すように、各部屋の壁に埋設されモジュラジャック２０が２つ取着された配線器具２Ａと、端子台１Ｄとにより構成されている。ただし、配線器具２Ａの上方のモジュラジャック２０にはケーブル１１が個別に接続され、下方のモジュラジャック２０には送り配線でケーブル１２が接続されている。
【００６８】
端子台１Ｄは、端子部１１２と開閉部１２Ａとが上下方向に配列され、それらの接続部分および操作部１２０Ａの部分を外部に露出するためのカバー１０１Ｄを含む器体１０Ｄを備えている以外は第４実施形態の端子台と同様である。
【００６９】
このような構成の端子台１Ｄを使用することにより、端子台を別途設けることなく、各部屋で電話を使用することが可能になるとともに、特定の部屋で例えばパソコンなどを利用したインターネット接続が可能となる情報配線システムを構築することができる。
【００７０】
例えば、加入者線によるアナログ回線をアナログ電話のみに利用する場合、第２実施形態と同様の構築例のほか、別の構築例も利用可能である。すなわち、加入者線のケーブルを端子部１１０に接続し、各部屋の壁に埋設された配線器具２Ａにおける下方のモジュラジャックに先行配線されたケーブルを端子部１１２に接続する。そして開閉部１２Ａで端子部１１０に対して端子部１１２を切替接続する。
【００７１】
これにより、各部屋の下方のモジュラジャック２０が、図１２に示すように、ケーブルＬ１２、端子部１１２、基板ブロック１４０、開閉部１２Ａ、基板ブロック１４０を介して、端子部１１０に接続されることになるから、各部屋で電話の使用が可能になる。
【００７２】
一方、加入者線によるアナログ回線をアナログ電話および回線終端装置（スプリッタ、ＴＡまたはＤＳＵ内蔵ダイアルアップルータなど）に利用する場合、第２実施形態と同様の構築例のほか、第４実施形態の構築例も使用可能である。
【００７３】
後者の場合、加入者線のケーブルを端子部１１０に接続し、各部屋の壁に埋設された配線器具２Ａにおける上方のモジュラジャック２０に先行配線されたケーブルＬ１１を各端子部１１１に接続する。また、各部屋の壁に埋設された配線器具２Ａにおける下方のモジュラジャック２０に先行配線されたケーブルＬ１２を端子部１１２に接続する。そして開閉部１２Ａで端子部１１０に対して複数の端子部１１１を切替接続する。
【００７４】
回線終端装置を設置する部屋において、回線終端装置のＴＥＬ端子およびＬＩＮＥ端子を、それぞれ端子部１１２，１１１に接続されたモジュラコンセント２０，２０に接続する。
【００７５】
これにより、各部屋で電話を使用することが可能になるとともに、回線終端装置を利用したインターネット接続が可能になる。
【００７６】
【発明の効果】
以上のことから明らかなように、請求項１記載の発明は、各部屋の壁に埋設されたモジュラコンセントと、複数の端子部、および、正面矩形状の角状に形成され、前記複数の端子部をこれらの各一部が正面位置で外部に露出するように収納し、情報盤内に取り付けられる器体を備え、前記端子部として、前記器体の正面位置で露出する一部が加入者線のケーブルを外部から接続するための接続部分となる第１端子部を含むとともに、前記器体の正面位置で露出する一部が前記モジュラコンセントと接続されたケーブルを外部から接続するための接続部分となる第２端子部を複数含み、これら複数の第２端子部が前記器体内部で互いに電気的に接続される端子台とにより構成される情報配線システムであって、前記端子台が、前記第１端子部に対して、前記複数の第２端子部を電気的に接続または遮断するための開閉部を備えるとともに、前記端子部として、前記器体の正面位置で露出する一部が前記モジュラコンセントと接続されるケーブルを外部から接続するための接続部分となり、前記器体内部で前記第１端子部に対して電気的に接続される第３端子部を備えるので、開閉部で第１端子部に対して複数の第２端子部を電気的に接続すれば、第２端子部と接続されたモジュラコンセントに電話機を接続することにより、各部屋で電話機を使用することができる。一方、開閉部で第１端子部に対して複数の第２端子部を電気的に遮断すれば、スプリッタまたはＤＳＵなどの回線終端装置のＴＥＬ端子およびＬＩＮＥ端子を、それぞれ第２および第３端子部に接続されたモジュラコンセントに接続することにより、各部屋で電話の使用が可能になるとともに、回線終端装置を利用したインターネット接続が可能になる。よって、端子台を別途設けることなく、各部屋で電話を使用することが可能になるとともに、特定の部屋で例えばパソコンなどを利用したインターネット接続が可能になり、限られた情報盤内のスペースを有効利用することができる。
【００７７】
請求項２記載の発明は、請求項１記載の情報配線システムにおいて、前記開閉部は、前記第１端子部に対して、前記複数の第２端子部または前記第３端子部のいずれか一方を切替接続するための切替スイッチであり、前記器体は、前記切替スイッチをこの操作部が正面位置で外部に露出するように収納するので、開閉部で第１端子部に対して複数の第２端子部を電気的に切替接続すれば、第２端子部と接続されたモジュラコンセントに電話機を接続することにより、各部屋で電話機を使用することができる。一方、開閉部で第１端子部に対して第３端子部を電気的に切替接続すれば、スプリッタまたはＤＳＵなどの回線終端装置のＴＥＬ端子およびＬＩＮＥ端子を、それぞれ第２および第３端子部に接続されたモジュラコンセントに接続することにより、各部屋で電話の使用が可能になるとともに、回線終端装置を利用したインターネット接続が可能になる。よって、端子台を別途設けることなく、各部屋で電話を使用することが可能になるとともに、特定の部屋で例えばパソコンなどを利用したインターネット接続が可能になり、限られた情報盤内のスペースを有効利用することができる。また、各種利用形態の切替設定が格段に容易となる。
【００７８】
請求項３記載の発明は、請求項１または２記載の情報配線システムにおいて、前記端子台は、操作部に対する入切操作に応じて、前記複数の第２端子部のうち対応する第２端子部と前記開閉部との間を電気的に接続または遮断する入切スイッチを複数さらに備え、前記器体は、前記複数の入切スイッチをこれらの各操作部が正面位置で外部に露出するように収納し、前記第３端子部は、送り配線で各部屋の壁に埋設されたモジュラコンセントと接続されるので、開閉部で第１端子部に対して複数の第２端子部を電気的に切替接続すれば、スプリッタまたはＤＳＵなどの回線終端装置のＴＥＬ端子およびＬＩＮＥ端子を、それぞれ第３および第２端子部に接続されたモジュラコンセントに接続し、複数の第２端子部のうち回線終端装置と接続された一の第２端子部に対応する入切スイッチを入り状態にし、他の第２端子部に対応する入切スイッチを切り状態にすることにより、各部屋での電話の使用と回線終端装置を利用したインターネット接続とが可能になるほか、第２端子部に接続された、回線終端装置用としてのモジュラコンセントに誤って電話機が接続されたとしても、回線終端装置側の通信ができなくなることを防止することができる。
【００７９】
請求項４記載の発明は、請求項１から３のいずれかに記載の情報配線システムにおいて、前記端子台は、前記器体内部に収納される複数の基板ブロックをさらに備え、前記基板ブロックとして、前記第１端子部、開閉部および第３端子部を少なくとも搭載する第１基板ブロックを含むとともに、前記第２端子部を少なくとも一つ搭載する第２基板ブロックを含み、前記第１基板ブロックは、前記第２基板ブロックと互いに電気的および機械的に連結分離自在に構成されている一方、前記第２基板ブロックは、前記第１基板ブロックまたは他の第２基板ブロックと、これとは別の第２基板ブロックと互いに電気的および機械的に連結分離自在に構成されているので、第２端子部の数を変えた商品展開が容易となる。
【００８０】
請求項５記載の発明は、請求項１から４のいずれかに記載の情報配線システムを構成する端子台であるので、端子台を別途設けることなく、各部屋で電話を使用することが可能になるとともに、特定の部屋で例えばパソコンなどを利用したインターネット接続が可能になり、限られた情報盤内のスペースを有効利用することができる。
【図面の簡単な説明】
【図１】情報配線システムの各構築例のうち一の構築例を示す図である（第１実施形態）。
【図２】同情報配線システムで使用される端子台の正面図である。
【図３】同端子台の回路図である。
【図４】情報配線システムの各構築例のうち一の構築例を示す図である（第２実施形態）。
【図５】同情報配線システムで使用される端子台の正面図である。
【図６】同端子台の回路図である。
【図７】情報配線システムの各構築例のうち一の構築例を示す図である（第３実施形態）。
【図８】同情報配線システムで使用される端子台の正面図である。
【図９】同端子台の回路図である。
【図１０】端子台の各構成部品を示す斜視図である（第４実施形態）。
【図１１】情報配線システムの各構築例のうち一の構築例を示す図である（第５実施形態）。
【図１２】同情報配線システムで使用される端子台の回路図である。
【図１３】従来の情報配線システムの例を示す図である。
【図１４】同情報配線システムで使用される端子台の正面図である。
【図１５】同端子台の回路図である。
【符号の説明】
１，１Ａ，１Ｂ，１Ｄ  端子台
１０，１０Ａ，１０Ｂ，１０Ｃ，１０Ｄ  器体
１１，１１０，１１１，１１２  端子部
１２，１２Ａ  開閉部
１３  入切スイッチ
１４，１４０，１４１  基板ブロック
２，２Ａ  配線器具
２０  モジュラジャック
３  スプリッタ
４  ＡＤＳＬモデム
５  パソコン
【図１】
2004229361.tif 000003
【図２】
2004229361.tif 000004
【図３】
2004229361.tif 000005
【図４】
2004229361.tif 000006
【図５】
2004229361.tif 000007
【図６】
2004229361.tif 000008
【図７】
2004229361.tif 000009
【図８】
2004229361.tif 000010
【図９】
2004229361.tif 000011
【図１０】
2004229361.tif 000012
【図１１】
2004229361.tif 000013
【図１２】
2004229361.tif 000014
【図１３】
2004229361.tif 000015
【図１４】
2004229361.tif 000016
【図１５】
2004229361.tif 000017